(57)【要約】  この光計測装置（１００）は、送光口（１１）を含む装置本体部（１）と、光ファイバ（２１）を含み送光口（１１）に対して着脱されるように構成される光ファイバ（２１）の他端部（２１ｂ）に光を伝送する送光プローブ部（２）と、装置本体部（１）に設けられ送光プローブ部（２）が送光口（１１）から取り外された状態で、送光口（１１）から外部に照射される光を遮るように構成された遮光部（６）とを備える。
2016035361.tif 000002
【特許請求の範囲】
【請求項１】
光源と、被検体に照射するための光を出射するための送光口とを含む、装置本体部と、
光ファイバを含み、前記送光口に対して着脱されるように構成され、前記被検体に配置される送光点に光を伝送する光伝送部と、
前記装置本体部に設けられ、前記光伝送部が前記送光口から取り外された状態で、前記送光口から外部に照射される光を遮るように構成された遮光部とを備える、光計測装置。
【請求項２】
前記光伝送部は、前記遮光部が前記装置本体部に設置された状態で、前記送光口に対して着脱されるように構成されており、
前記遮光部は、少なくとも前記光伝送部が前記送光口から取り外された状態では、前記送光口からの光の光軸上の位置に配置されている、請求項１に記載の光計測装置。
【請求項３】
前記遮光部は、前記送光口から間隔を隔てた位置で前記送光口を前記装置本体部の外部から覆うように設けられており、
前記光伝送部は、前記遮光部と前記装置本体部との間で、前記送光口に対して着脱されるように構成されている、請求項２に記載の光計測装置。
【請求項４】
前記送光口は、複数設けられており、
前記光ファイバは、複数設けられており、
前記光伝送部は、前記複数の光ファイバの一端部を収容し、前記光軸の方向と垂直な方向に沿って前記装置本体部に着脱されることにより、前記複数の光ファイバの各々を、前記複数の送光口に対して一括して着脱させる接続部材を含む、請求項１に記載の光計測装置。
【請求項５】
前記接続部材は、前記光軸の方向と垂直な方向に沿って、前記遮光部と前記装置本体部との間にスライド移動されることにより、前記送光口に対して前記光ファイバを着脱させるように構成されている、請求項４に記載の光計測装置。
【請求項６】
前記遮光部は、前記接続部材が前記遮光部と前記装置本体部との間にスライド移動される方向に平行な方向に沿って延びる案内部を含む、請求項５に記載の光計測装置。
【請求項７】
前記遮光部は、前記接続部材の外形形状に沿って覆う形状を有する、請求項４に記載の光計測装置。
【請求項８】
前記遮光部は、前記装置本体部に取り付けられた前記光軸の方向に沿った第１面と、前記第１面から前記光軸と垂直な方向に沿って延びる第２面とを含み、
前記光伝送部は、前記第１面と前記第２面とにより形成される空間内で、前記送光口に対して着脱されるように構成されている、請求項１に記載の光計測装置。
【請求項９】
前記遮光部は、複数の前記第１面と前記第２面とにより、前記送光口を取り囲んで覆う箱形状に形成されている、請求項８に記載の光計測装置。
【請求項１０】
前記遮光部は、前記送光口から外部に照射される光を遮る位置と前記送光口から外部に照射される光を遮らない位置とを移動するシャッタ部を含む、請求項２に記載の光計測装置。
【発明の詳細な説明】
【技術分野】
【０００１】
この発明は、光計測装置に関し、特に、被検体に照射するための光を出射する送光口を備えた光計測装置に関する。
【背景技術】
【０００２】
従来、被検体に照射するための光を出射する送光口を備えた光計測装置が知られている。このような光計測装置は、たとえば、特開２００４−２５５０７５号公報に開示されている。【０００３】
上記特開２００４−２５５０７５号公報に開示されている光計測装置は、被検体に照射するための光を出射する光コネクタを備えている。この光計測装置は、内部にレーザダイオードを含む本体部と、アダプタを含む照射プローブと、検出プローブと、光コネクタと、コネクタとを含む。そして、照射プローブは、本体部からの光を被検体に照射するように構成されている。また、検出プローブは、アダプタにより被検体内で反射（散乱）された光を検出して、検出された信号を本体部に伝達するように構成されている。そして、検出プローブと本体部とは、コネクタにおいて互いに着脱可能に構成されている一方、照射プローブと本体部とは、光コネクタを介して互いに固定的に接続されている。
【先行技術文献】
【特許文献】
【０００４】
【特許文献１】特開２００４−２５５０７５号公報
【発明の概要】
【発明が解決しようとする課題】
【０００５】
しかしながら、上記特許文献１に記載の光計測装置では、照射プローブと本体部とが、光コネクタを介して互いに固定的に接続されているため、本体部を移動させる（持ち運ぶ）際には、照射プローブと共に（分離せずに）移動させる必要がある。このため、上記特許文献１の光計測装置は、本体部の移動に関する利便性が低くなるという不都合がある。そこで、本体部と照射プローブとを光コネクタにおいて着脱可能に構成することが考えられる。しかしながら、この場合には、照射プローブを本体部から分離した状態で、本体部からの光が光コネクタを介して外部に出射され、光が被検体以外（たとえば、人の目など）に誤って照射される可能性が生じる。このため、従来、装置本体部の移動に関する利便性を向上させながら、光が装置本体部から被検体以外（たとえば、人の目など）に誤って照射されるのを抑制することが困難であるという問題点がある。【０００６】
この発明は、上記のような課題を解決するためになされたものであり、この発明の１つの目的は、装置本体部の移動に関する利便性を向上させながら、光が装置本体部から被検体以外に誤って照射されるのを抑制することが可能な光計測装置を提供することである。
【課題を解決するための手段】
【０００７】
上記目的を達成するために、この発明の一の局面における光計測装置は、光源と、被検体に照射するための光を出射するための送光口とを含む、装置本体部と、光ファイバを含み、送光口に対して着脱されるように構成され、被検体に配置される送光点に光を伝送する光伝送部と、装置本体部に設けられ、光伝送部が送光口から取り外された状態で、送光口から外部に照射される光を遮るように構成された遮光部とを備える。【０００８】
この発明の一の局面による光計測装置では、上記のように、光伝送部を、送光口に対して着脱されるように構成することにより、装置本体部の移動に関する利便性を向上させることができる。また、光伝送部が送光口から取り外された状態で、送光口から外部に照射される光を遮るように構成された遮光部を設けることにより、光伝送部が送光口から取り外された状態でも、送光口から外部に照射される光を遮光部によって遮ることができる。その結果、装置本体部から誤って光が照射された場合にも、光が被検体以外（たとえば、人の目など）に照射されるのを抑制することができる。以上により、装置本体部の移動に関する利便性を向上させながら、光が装置本体部から被検体以外（たとえば、人の目など）に誤って照射されるのを抑制することができる。【０００９】
上記一の局面による光計測装置において、好ましくは、光伝送部は、遮光部が装置本体部に設置された状態で、送光口に対して着脱されるように構成されており、遮光部は、少なくとも光伝送部が送光口から取り外された状態では、送光口からの光の光軸上の位置に配置されている。このように構成すれば、光伝送部が送光口から取り外された状態のみならず、光伝送部が送光口に対して着脱される最中も、遮光部によって送光口から外部に照射される光を遮ることができる。これにより、より確実に、光が装置本体部から被検体以外（たとえば、人の目など）に誤って照射されるのを抑制することができる。【００１０】
この場合、好ましくは、遮光部は、送光口から間隔を隔てた位置で送光口を装置本体部の外部から覆うように設けられており、光伝送部は、遮光部と装置本体部との間で、送光口に対して着脱されるように構成されている。このように構成すれば、光伝送部を遮光部と装置本体部との間に差し込んで装着することができるので、光伝送部の着脱の際に遮光部を動かす必要がない。そのため、光が装置本体部から被検体以外（たとえば、人の目など）に誤って照射されるのを、より確実に抑制することができる。また、遮光部を装置本体部の外部に露出させることができるので、たとえば、遮光部が破損や変形を生じている場合に、速やかに破損や変形をユーザに発見させることができる。【００１１】
上記一の局面による光計測装置において、好ましくは、送光口は、複数設けられており、光ファイバは、複数設けられており、光伝送部は、複数の光ファイバの一端部を収容し、光軸の方向と垂直な方向に沿って装置本体部に着脱されることにより、複数の光ファイバの各々を、複数の送光口に対して一括して着脱させる接続部材を含む。ここで、遮光部は、送光口からの光を遮るために、光軸と交わる位置に配置される。このため、接続部材を、光軸の方向に沿って装置本体部に着脱されるように構成する場合には、遮光部を可動させるように構成するか、装置本体部から比較的遠方に離間して配置するように構成する必要がある。この場合、光計測装置の構成が複雑化または光計測装置が大型化すると考えられる。そこで、本発明のように、接続部材を、光軸の方向と垂直な方向に沿って装置本体部に装着されるように構成すれば、遮光部を、可動させるように構成する必要がなく、遮光部を、装置本体部から比較的近傍に配置することができるので、光計測装置の構成が複雑化または大型化するのを抑制することができる。また、接続部材は、複数の光ファイバを複数の送光口に対して一括して着脱させるので、複数の光ファイバの各々を個別に複数の送光口に対して着脱する場合に比べて、光ファイバの着脱作業時間を短縮することができる。これにより、光ファイバの着脱作業中に送光口から外部に光が漏れる時間も短縮することができるので、これによっても、光が装置本体部から被検体以外に誤って照射されるのを抑制することができる。また、接続部材は、複数の光ファイバを複数の送光口に対して一括して着脱させるので、光ファイバを着脱するための作業が複雑化するのを抑制することができる。その結果、装置本体部の移動に関する（持ち運ぶ際の準備に関する）利便性を、より向上させることができる。【００１２】
この場合、好ましくは、接続部材は、光軸の方向と垂直な方向に沿って、遮光部と装置本体部との間にスライド移動されることにより、送光口に対して光ファイバを着脱させるように構成されている。このように構成すれば、ユーザは、接続部材を遮光部と装置本体部との間にスライド移動させるだけで、容易に、複数の光ファイバを複数の送光口に対して一括して着脱させることができる。その結果、光伝送部の着脱を容易にすることができるので、装置本体部の移動に関する（持ち運ぶ際の準備に関する）利便性をさらに向上させることができる。【００１３】
上記接続部材をスライド移動させて送光口に対して光ファイバを着脱させるように構成されている光計測装置において、好ましくは、遮光部は、接続部材が遮光部と装置本体部との間にスライド移動される方向に平行な方向に沿って延びる案内部を含む。このように構成すれば、接続部材が案内部に沿って移動されることにより、容易に、接続部材をスライド移動させて遮光部と装置本体部との間に配置させることができる。【００１４】
上記接続部材を含む光計測装置において、好ましくは、遮光部は、接続部材の外形形状に沿って覆う形状を有する。このように構成すれば、接続部材を覆うように接続部材の近傍に遮光部を設けることができるので、光計測装置の構成が大型化するのを抑制することができる。また、遮光部と接続部材との間に隙間が形成されるのを抑制することができるので、光計測装置に対する接続部材の着脱の際などに、誤って光が出射される場合にも光漏れを抑制することができる。【００１５】
上記一の局面による光計測装置において、好ましくは、遮光部は、装置本体部に取り付けられた光軸の方向に沿った第１面と、第１面から光軸と垂直な方向に沿って延びる第２面とを含み、光伝送部は、第１面と第２面とにより形成される空間内で、送光口に対して着脱されるように構成されている。このように構成すれば、第２面は、光伝送部が送光口に対して着脱する際に、装置本体部に設置された状態で送光口から外部に照射される光を遮ることができるので、容易に、光が装置本体部から被検体以外（たとえば、人の目など）に誤って照射されるのを抑制することができる。【００１６】
この場合、好ましくは、遮光部は、複数の第１面と第２面とにより、送光口を取り囲んで覆う箱形状に形成されている。このように構成すれば、遮光部を複数の第１面と第２面とにより箱形状を有して送光口を取り囲んで覆うように構成するので、たとえば、遮光部が１つの第１面と１つの第２面とにより構成される場合に比べて、より確実に、光が装置本体部から被検体以外に誤って照射されるのを抑制することができる。【００１７】
上記遮光部が装置本体部に設置された状態で光伝送部が送光口に対して着脱されるように構成されている光計測装置において、好ましくは、遮光部は、送光口から外部に照射される光を遮る位置と送光口から外部に照射される光を遮らない位置とを移動するシャッタ部を含む。このように構成すれば、シャッタ部を含む遮光部を、装置本体部の送光口または装置本体部の内部に設けることができるので、遮光部を装置本体部の外部に設ける場合に比べて、光計測装置の構成が大型化するのを抑制することができる。
【発明の効果】
【００１８】
本発明によれば、上記のように、装置本体部の移動に関する利便性を向上させながら、光が装置本体部から誤って被検体以外に誤って照射されるのを抑制することができる。
【図面の簡単な説明】
【００１９】
【図１】本発明の第１実施形態による光計測装置の全体構成を示したブロック図である。
【図２】本発明の第１実施形態による光計測装置の全体構成を示した斜視図である。
【図３】図２における送光プローブ部の着脱を説明するための分解斜視図である。
【図４】遮光部と送光プローブ部とを模式的に示した部分断面図である。
【図５】本発明の第２実施形態による光計測装置の遮光部および送光プローブ部を示した分解斜視図である。
【図６】本発明の第３実施形態による光計測装置の模式的な側面図である。
【図７】本発明の第３実施形態による光計測装置の送光プローブ部を示した斜視図である。
【図８】本発明の第４実施形態による光計測装置の遮光部および送光プローブ部を示した斜視図である。
【図９】本発明の第１実施形態の第１変形例による遮光部の構成を説明するための断面図である。
【発明を実施するための形態】
【００２０】
以下、本発明を具体化した実施形態を図面に基づいて説明する。
【００２１】
（第１実施形態）
まず、図１〜図４を参照して、本発明の第１実施形態による光計測装置１００の全体構成について説明する。第１実施形態では、光計測装置の一例として、携帯して持ち運び可能に構成された光計測装置１００について説明する。
【００２２】
図１に示すように、本実施形態による光計測装置１００には、装置本体部１と、送光プローブ部２と、受光プローブ部３と、ホルダ部４と、制御ユニット５とが設けられている。また、送光プローブ部２および受光プローブ部３は、装置本体部１に接続されており、送光プローブ部２および受光プローブ部３は、ホルダ部４に接続されている。そして、ホルダ部４は、被検体Ｐ（たとえば、人体の頭部表面上）に配置されている。なお、送光プローブ部２は、本発明の「光伝送部」の一例である。
【００２３】
図２および図３に示すように、装置本体部１は、送光口１１と光源部１２（図３参照）とを含む。光源部１２は、近赤外光の波長領域の計測光を照射可能に構成されている。送光口１１は、光源部１２から照射された光を装置本体部１の外部に（光軸Ａの方向（矢印Ｙ１方向側）に）出射するように構成されている。
【００２４】
図２に示すように、装置本体部１は、直方体形状に形成されている。送光口１１は、装置本体部１の一方側側面１３（矢印Ｙ１方向側の側面）に４つ設けられている。４つの送光口１１は、互いに所定の間隔を隔ててＸ方向に沿って直線上に並ぶように配置されている。そして、図３に示すように、光源部１２は、それぞれの送光口１１に対して装置本体部１の内側（矢印Ｙ２方向側）に設けられており、合計４つ設けられている。また、光源部１２は、たとえば、７８０ｎｍ、８０５ｎｍおよび８３０ｎｍの３波長の光を照射可能に構成されており、光源部１２には、３波長のそれぞれに対応するレーザダイオード等が設けられている。なお、図２では、光源部１２の図示を省略している。
【００２５】
送光プローブ部２は、４本の光ファイバ２１と、４本の光ファイバ２１を結束する結束部材２２と、４本の光ファイバ２１の一端部２１ａを収容している接続部材２３と、固定部材２４と、締結部材２５とを含む。
【００２６】
ここで、第１実施形態では、送光プローブ部２は、送光口１１に対して着脱可能に構成されている。すなわち、送光プローブ部２は、送光プローブ部２の接続部材２３を送光口１１に対して着脱することにより、４本の光ファイバ２１の各々の一端部２１ａを、送光口１１に対して一括して着脱させることが可能に構成されている。これにより、４本の光ファイバ２１のそれぞれの一端部２１ａは、送光口１１から出射された光を、光ファイバ２１を介して、ホルダ部４に装着される光ファイバ２１の他端部２１ｂに光を導光するように構成されている。なお、他端部２１ｂは、本発明の「送光点」の一例である。
【００２７】
受光プローブ部３は、８本の光ファイバ３１と、８本の光ファイバ３１を束ねて結束する結束部材３２と、８本の光ファイバ３１の一端部（図示せず）を収容している接続部材３３とを含む。また、接続部材３３は、装置本体部１にビス（図示せず）などを用いて、着脱可能に構成されており、８本の光ファイバ３１の各々の一端部を後述する受光口１４に対して着脱可能に構成されている。
【００２８】
図１に示すように、ホルダ部４は、送光プローブ部２の光ファイバ２１の他端部２１ｂおよび受光プローブ部３の光ファイバ３１の他端部３１ａを、ホルダ部４上に配置することが可能に構成されている。そして、光計測装置１００は、送光プローブ部２の光ファイバ２１の他端部２１ｂから、被検体Ｐに、計測光を照射するように構成されている。また、被検体Ｐを透過および／または反射（体内で反射されること）した計測光は、ホルダ部４上に配置した受光プローブ部３の光ファイバ３１の他端部３１ａに入射する。そして、受光プローブ部３は、入射した計測光を光ファイバ３１の一方端に導光するように構成されている。
【００２９】
そして、図２に示すように、装置本体部１の一方側側面１３には、受光口１４が設けられている。受光口１４は、装置本体部１の一方側側面１３（矢印Ｙ１方向側の側面）に、８つ設けられている。８つの受光口１４は、互いに所定の間隔を隔ててＸ方向に沿って、並ぶように配置されている。また、それぞれの受光口１４に対して装置本体部１の内側（矢印Ｙ２方向側）に受光部１５（図１参照）が設けられており、合計８つ設けられている。そして、受光部１５は、光ファイバ３１の一方端および受光口１４を介して、上記した計測光を受光するように構成されている。
【００３０】
図１に示すように、光計測装置１００には、計測制御部１６が設けられている。計測制御部１６は、光源部１２の光の照射の制御と、受光部１５から計測光の強度の情報を取得する制御とを行うように構成されている。
【００３１】
また、光計測装置１００には、本体制御部１７および記憶部１８が設けられている。本体制御部１７は、受光部１５から計測光の強度の情報を記憶部１８に記憶させる制御を行うように構成されている。また、本体制御部１７は、制御ユニット５と、無線または有線により双方向通信可能に構成されている。そして、本体制御部１７は、制御ユニット５に記憶部１８に記憶された情報を伝達するとともに、制御ユニット５から操作情報などを含む制御信号を取得するように構成されている。
【００３２】
また、制御ユニット５には、制御部５１と、表示部５２と、操作部５３とが設けられている。
【００３３】
ここで、被検体Ｐでは、脳活動を反映して、脳内のヘモグロビン量が活性化部位で増大し、ヘモグロビンによる計測光の吸収量が増大する。このため、光計測装置１００は、取得した計測光強度に基づいて脳活動に伴うヘモグロビン量の変化を取得することが可能である。なお、ヘモグロビンは酸素と結合したオキシヘモグロビンと、酸素と結合していないデオキシヘモグロビンとに分けられ、互いに吸光特性が異なる。このため、光計測装置１００では、吸光特性の相違を考慮した複数波長（たとえば、７８０ｎｍ、８０５ｎｍおよび８３０ｎｍの３波長）の計測光を用いて計測が行われ、得られたそれぞれの波長の計測光の強度に基づいて、制御ユニット５の制御部５１により各ヘモグロビン量および総量の算出が行われる。
【００３４】
この結果、光計測装置１００は、受光プローブ部３に入射した計測光の強度（受光量）に基づいて脳活動に伴うヘモグロビン量の変化、すなわち血流量の変化や酸素代謝の活性化状態を非侵襲で取得することが可能に構成されている。そして、光計測装置１００は、送光プローブ部２の複数の光ファイバ２１および受光プローブ部３の複数の光ファイバ３１を用いて広い脳領域を複数点の計測チャンネルで計測することにより、脳のどの領域がどのように活動しているかの２次元分布を取得することが可能に構成されている。そして、光計測装置１００は、制御ユニット５の表示部５２に、上記の２次元分布を表示するように構成されている。
【００３５】
また、制御ユニット５の操作部５３は、ユーザの入力操作を受け付け可能に構成されている。制御部５１は、ユーザの入力操作に基づいて、装置本体部１との通信や表示部５２に２次元分布を表示させる制御を行うように構成されている。
【００３６】
ここで、第１実施形態では、図３に示すように、光計測装置１００には、遮光部６が設けられている。遮光部６は、装置本体部１の一方側側面１３（矢印Ｙ１方向側の側面）に、ビス（図示なし）などを用いて取り付けられている。遮光部６は、一方側側面１３から、光軸Ａの方向（矢印Ｙ１方向）に沿ってそれぞれ延びる平板形状に形成された上面６１（矢印Ｚ１方向側）と、下面６２（矢印Ｚ２方向側）と、側面６３（矢印Ｘ１方向側）とを有する。なお、上面６１と、下面６２と、側面６３とは、本発明の「第１面」の一例である。
【００３７】
また、遮光部６には、上面６１、下面６２および側面６３の各矢印Ｙ１方向側端部と接続され、光軸Ａと垂直な方向（Ｘ方向およびＺ方向）に沿って延びる遮光面６４が設けられている。遮光面６４は、送光口１１（光源部１２）から出射される光に対して遮光性を有し、たとえば、金属性の板により形成されている。なお、遮光面６４は、本発明の「第２面」および「案内部」の一例である。
【００３８】
図２に示すように、遮光面６４は、遮光部６が一方側側面１３に取り付けられた状態で、送光口１１から出射される光の光軸Ａと交わる位置に配置されている。その結果、遮光面６４は、送光プローブ部２（接続部材２３）が送光口１１に装着されていない状態（取り外された状態）で、送光口１１から装置本体部１の外部に光が誤って出射された場合でも、光を遮るように構成されている。
【００３９】
このように、遮光部６は、送光口１１を装置本体部１の外部（矢印Ｙ１方向側）から覆うように設けられている。具体的には、遮光部６は、上面６１と下面６２と側面６３と遮光面６４とにより、矢印Ｘ２方向側に開口を有し、送光口１１を取り囲んで覆う箱形状に形成されている。また、遮光部６は、接続部材２３の外形形状に沿って覆う形状を有する。これらの結果、遮光部６と一方側側面１３とにより、遮光部６の内側に、矢印Ｘ２方向側から接続部材２３を差し込むための所定の空間が形成されている。
【００４０】
第１実施形態では、図３および図４に示すように、送光プローブ部２は、遮光部６が装置本体部１に設置された状態で、送光口１１に対して着脱することが可能に構成されている。また、送光プローブ部２は、遮光部６と装置本体部１との間（上面６１と下面６２と側面６３と遮光面６４とにより形成される空間内）で、送光口１１に対して着脱することが可能に構成されている。具体的には、送光プローブ部２の接続部材２３は、光軸Ａの方向と垂直な方向（Ｘ方向）に沿って、遮光部６と装置本体部１との間にスライド移動されることにより、送光口１１に対して光ファイバ２１（の一方端２１ａ）を着脱させることが可能に構成されている。
【００４１】
より具体的には、遮光部６の上面６１の送光口１１側（矢印Ｚ２方向側）で、かつ、装置本体部１側（矢印Ｙ２方向側）には、Ｘ方向に沿って延びる上部ガイド６５が設けられている。また、遮光部６の下面６２の送光口１１側（矢印Ｚ１方向側）で、かつ、装置本体部１側（矢印Ｙ２方向側）には、Ｘ方向に沿って延びる下部ガイド６６が設けられている。そして、上部ガイド６５および下部ガイド６６は、接続部材２３が遮光部６と装置本体部１との間にスライド移動される（装着または取り外される）際に、接続部材２３の上端面２３ａおよび下端面２３ｂとのそれぞれに接触（案内）するように構成されている。なお、上部ガイド６５および下部ガイド６６は、本発明の「案内部」の一例である。
【００４２】
なお、接続部材２３の矢印Ｙ１方向側は、遮光面６４によって案内される。すなわち、遮光面６４の装置本体部１側（矢印Ｙ２方向側）と、接続部材２３の側端面２３ｃとは、接続部材２３が遮光部６と装置本体部１との間にスライド移動される際に、接触するように構成されている。したがって、遮光面６４は、接続部材２３のガイドとしても機能する。以上のように、遮光部６と接続部材２３とが接触しながらスライド移動することが可能に構成することにより、接続部材２３の内部の光ファイバ２１の一端部２１ａを、より正確に送光口１１の位置に配置させることが可能になる。
【００４３】
また、図４に示すように、接続部材２３には、係合部２３ｅが設けられている。係合部２３ｅは、接続部材２３の矢印Ｘ１方向側の側端面２３ｄから突出するように設けられており、遮光部６の側面６３に設けられた開口部６３ａに係合するように構成されている。これにより、接続部材２３が遮光部６と装置本体部１との間に取り付けられた後、容易に（たとえば、接続部材２３の自重等により）接続部材２３が遮光部６と装置本体部１との間から脱離しないように構成されている。
【００４４】
また、図３に示すように、送光プローブ部２には、固定部材２４が設けられている。固定部材２４は、装置本体部１の矢印Ｙ２方向側の側面１９に沿ってＹＺ平面に広がる平板形状に形成されており、接続部材２３の矢印Ｘ２方向側に設けられている。固定部材２４の矢印Ｙ２方向側部分には、開口部２４ａが設けられている。また、装置本体部１の側面１９には、開口部２４ａに対応する位置にネジ穴１９ａが設けられている。そして、締結部材２５を、開口部２４ａを通ってネジ穴１９ａに取り付けることにより、接続部材２３を装置本体部１に固定することが可能である。締結部材２５は、たとえば、ツマミネジからなる。また、固定部材２４の矢印Ｙ１方向側部分に、光ファイバ２１および結束部材２５が接続されている。
【００４５】
第１実施形態では、以下のような効果を得ることができる。
【００４６】
第１実施形態では、上記のように、送光プローブ部２を、送光口１１に対して着脱されるように構成することにより、装置本体部１の移動に関する利便性を向上させることができる。また、光計測装置１００に、送光プローブ部２が送光口１１から取り外された状態で、送光口１１から外部に照射される光を遮る遮光部６を設けることにより、送光プローブ部２が送光口１１から取り外された状態でも、送光口１１から外部に照射される光を遮光部６によって遮ることができる。その結果、装置本体部１から誤って光が照射された場合にも、光が被検体Ｐ以外（たとえば、人の目など）に照射されるのを抑制することができる。以上により、装置本体部１の移動に関する利便性を向上させながら、光が装置本体部１から被検体Ｐ以外（たとえば、人の目など）に誤って照射されるのを抑制することができる。
【００４７】
また、第１実施形態では、上記のように、送光プローブ部２を、遮光部６が装置本体部１に設置された状態で、送光口１１に対して着脱されるように構成して、遮光部６を、少なくともプローブ部２が送光口１１から取り外された状態では、送光口１１からの光の光軸Ａ上の位置に配置する。これにより、送光プローブ部２が送光口１１から取り外された状態のみならず、送光プローブ部２が送光口１１に対して着脱される最中も、遮光部６によって送光口１１から外部に照射される光を遮ることができる。これにより、より確実に、光が装置本体部１から被検体Ｐ以外（たとえば、人の目など）に誤って照射されるのを抑制することができる。
【００４８】
また、第１実施形態では、上記のように、遮光部６を、送光口１１から間隔を隔てた位置で送光口１１を装置本体部１の外部から覆うように設けて、送光プローブ部２を、遮光部６と装置本体部１との間で、送光口１１に対して着脱されるように構成する。これにより、送光プローブ部２を遮光部６と装置本体部１との間に差し込んで装着することができるので、送光プローブ部２の着脱の際に遮光部６を動かす必要がない。そのため、光が装置本体部１から被検体Ｐ以外（たとえば、人の目など）に誤って照射されるのを、より確実に抑制することができる。また、遮光部６を装置本体部１の外部に露出させることができるので、たとえば、遮光部６が破損や変形を生じている場合に、速やかに破損や変形をユーザに発見させることができる。
【００４９】
また、第１実施形態では、上記のように、光計測装置１００に、送光口１１を複数設けるとともに、光ファイバ２１を複数設ける。また、接続部材２３を、複数の光ファイバ２１の一端部２１ａを収容し、光軸Ａの方向と垂直な方向（Ｘ方向）に沿って装置本体部１に着脱されることにより、複数の光ファイバ２１の各々を、複数の送光口１１に対して一括して着脱させるように構成する。ここで、遮光部６（遮光面６４）は、送光口１１からの光を遮るために、光軸Ａと交わる位置に配置される。このため、接続部材２３を、光軸Ａの方向に沿って装置本体部１に装着されるように構成する場合には、遮光部６を可動させるように構成するか、装置本体部１から比較的遠方に離間して配置するように構成する必要がある。この場合、光計測装置１００の構成が複雑化または光計測装置１００が大型化すると考えられる。そこで、第１実施形態では、接続部材２３を、光軸Ａの方向と垂直な方向（Ｘ方向）に沿って装置本体部１に装着されるように構成することにより、遮光部６を、可動させるように構成する必要がなく、装置本体部１から比較的近傍に配置することができるので、光計測装置１００の構成が複雑化または大型化するのを抑制することができる。
【００５０】
また、接続部材２３は、複数の光ファイバ２１を複数の送光口１１に対して一括して着脱させるので、複数の光ファイバ２１の各々を個別に複数の送光口１１に対して着脱する場合に比べて、光ファイバ２１の着脱作業時間を短縮することができる。これにより、光ファイバ２１の着脱作業中に送光口１１から外部に光が漏れる時間も短縮することができるので、これによっても、光が装置本体部１から被検体Ｐ以外に誤って照射されるのを抑制することができる。また、接続部材２３は、複数の光ファイバ２１を複数の送光口１１に対して一括して着脱させるので、光ファイバ２１を着脱するための作業が複雑化するのを抑制することができる。その結果、装置本体部１の移動に関する（持ち運ぶ際の準備に関する）利便性を、より向上させることができる。
【００５１】
また、第１実施形態では、上記のように、接続部材２３を、光軸Ａの方向と垂直な方向（Ｘ方向）に沿って、遮光部６と装置本体部１との間にスライド移動されることにより、送光口１１に対して光ファイバ２１を着脱させるように構成する。これにより、ユーザは、接続部材２３を遮光部６と装置本体部１との間にスライド移動させるだけで、容易に、複数の光ファイバ２１を複数の送光口１１に対して一括して着脱させることができる。その結果、送光プローブ部２の着脱を容易にすることができるので、装置本体部１の移動に関する（持ち運ぶ際の準備に関する）利便性をさらに向上させることができる。
【００５２】
また、第１実施形態では、上記のように、遮光部６を、接続部材２３が遮光部６と装置本体部１との間にスライド移動される方向に平行な方向（Ｘ方向）に沿って延びる上部ガイド６５および下部ガイド６６を含むように構成する。これにより、接続部材２３が上部ガイド６５および下部ガイド６６に沿って移動されることにより、容易に、接続部材２３をスライド移動させて遮光部６と装置本体部１との間に配置させることができる。
【００５３】
また、第１実施形態では、上記のように、遮光部６は、接続部材２３の外形形状に沿って覆う形状を有する。これにより、接続部材２３を覆うように接続部材２３の近傍に遮光部６を設けることができるので、光計測装置１００の構成が大型化するのを抑制することができる。また、遮光部６と接続部材との間に隙間が形成されるのを抑制することができるので、光計測装置１００に対する接続部材２３の着脱の際などに、誤って光が出射される場合にも、光漏れを抑制することができる。
【００５４】
また、第１実施形態では、上記のように、遮光部６に、装置本体部１に取り付けられた光軸Ａの方向に沿った上面６１、下面６２および側面６３と、上面６１、下面６２および側面６３とから光軸Ａと垂直な方向（ＸＺ平面）に沿って延びる遮光面６４とを設ける。また、送光プローブ部２を、上面６１と下面６２と側面６３と遮光面６４とにより形成される空間内で、送光口１１に対して着脱することが可能に構成する。これにより、遮光面６４は、送光プローブ部２が送光口１１に対して着脱する際に、装置本体部１に設置された状態で送光口１１から外部に照射される光を遮ることができるので、容易に、光が装置本体部１から被検体Ｐ以外（たとえば、人の目など）に誤って照射されるのを抑制することができる。
【００５５】
また、第１実施形態では、上記のように、遮光部６を、上面６１と下面６２と側面６３と遮光面６４とにより、送光口１１を取り囲んで覆う箱形状に形成する。これにより、遮光部６を上面６１と下面６２と側面６３と遮光面６４とにより箱形状を有して送光口１１を取り囲んで覆うように構成するので、遮光部６が上面６１と遮光面６４とにより構成される場合に比べて、より確実に、光が装置本体部１から被検体Ｐ以外に誤って照射されるのを抑制することができる。
【００５６】
（第２実施形態）
次に、図５を参照して、第２実施形態による光計測装置２００の構成について説明する。第２実施形態による光計測装置２００は、上面と下面と側面と遮光面とを有する遮光部を備える第１実施形態による光計測装置とは異なり、下面と側面とは有さずに、上面と遮光面とを有する遮光部を備える。なお、第２実施形態において、上記第１実施形態と同様の構成については同一の符号を付し、説明を省略する。
【００５７】
図５に示すように、第２実施形態による光計測装置２００の送光プローブ部２０２には、光ファイバ２１と結束部材２２と接続部材２２３とが設けられている。
【００５８】
接続部材２２３は、第１実施形態の接続部材２３と同様に、内部に光ファイバ２１の一端部２１ａを含む。接続部材２２３は、矢印Ｙ１方向側の側面２２３ａの中央部において、光ファイバ２１（および結束部材２２）に接続されている。そして、接続部材２２３は、遮光部２０６と装置本体部１との間に、鉛直方向（Ｚ方向）に沿ってスライド移動されることにより、送光口１１に対して光ファイバ２１を着脱させることが可能に構成されている。
【００５９】
また、接続部材２２３の側面２２３ａの矢印Ｘ１方向および矢印Ｘ２方向の端部近傍には、それぞれネジ穴２２３ｂが設けられている。
【００６０】
ここで、第２実施形態では、遮光部２０６は、装置本体部１に取り付けられた光軸Ｂの方向（矢印Ｙ１方向）に沿った上面２６１と、上面２６１の矢印Ｙ１方向側端部から光軸Ｂと垂直な方向（矢印Ｚ２方向）に沿って延びる遮光面２６２とを含む。
【００６１】
遮光面２６２は、送光プローブ部２０２（接続部材２２３）が送光口１１から取り外された状態で、送光口１１から外部（光軸Ｂの方向）に照射される光を遮るように構成されている。遮光面２６２には、開口部２６３が設けられており、ネジ２６４が開口部２６３を矢印Ｙ２方向に貫通させて上記のネジ穴２２３ｂに螺合されることにより、送光プローブ部２０２（接続部材２２３）を装置本体部１と遮光部２０６との間に固定することが可能に構成されている。
【００６２】
また、遮光面２６２には、切り欠き部２６５が設けられている。切り欠き部２６５は、結束部材２２の上側部分に対応する形状（円弧形状）に形成されている。切り欠き部２６５は、内側に光ファイバ２１（および結束部材２２）の上部を配置して、光ファイバ２１を逃がすことが可能に構成されている。なお、切り欠き部２６５は、光軸Ｂの方向に送光口１１とは重ならない位置に配置されている。これにより、遮光部２０６は、送光口１１から外部に照射される（光軸Ｂの）光を遮りながら、接続部材２２３を取り付けた状態で光ファイバ２１が矢印Ｚ２方向に撓むのを抑制するように構成されている。
【００６３】
また、第２実施形態による光計測装置２００のその他の構成は、第１実施形態における光計測装置１００と同様である。
【００６４】
第２実施形態では、以下のような効果を得ることができる。
【００６５】
第２実施形態では、上記のように、遮光部２０６は、装置本体部１に取り付けられた光軸Ｂの方向（矢印Ｙ１方向）に沿った上面２６１と、上面２６１から光軸Ｂと垂直な方向（矢印Ｚ２方向）に沿って延びる遮光面２６２とを含む。これにより、第１実施形態による遮光部６と異なり、下面６２や側面６３などを含まないので、遮光部２０６の構成が複雑化するのを抑制することができる。
【００６６】
また、第２実施形態による光計測装置２００のその他の効果は、第１実施形態における光計測装置１００と同様である。
【００６７】
（第３実施形態）
次に、図６および図７を参照して、第３実施形態による光計測装置３００の構成について説明する。第３実施形態の光計測装置３００は、切り欠き部が設けられている遮光部を備えた第２実施形態による光計測装置と異なり、遮光部には、切り欠き部が設けられていない。なお、第３実施形態において、上記第１実施形態および第２実施形態と同様の構成については同一の符号を付し、説明を省略する。
【００６８】
図６および図７に示すように、第３実施形態による光計測装置３００の送光プローブ部３０２には、４本の光ファイバ３２１と接続部材３２３とが設けられている。
【００６９】
ここで、第３実施形態では、４本の光ファイバ３２１は、それぞれ所定の間隔を隔ててＸ方向に沿って、接続部材３２３に個別に接続されている。また、各光ファイバ３２１は、接続部材３２３の矢印Ｙ１方向側の面のうち矢印Ｚ２方向側の位置に配置されている。具体的には、接続部材３２３が送光口３１１に取り付けられた状態で、光ファイバ３２１が接続されている位置が、送光口３１１が配置されている位置よりも矢印Ｚ２方向側に設定されている。
【００７０】
遮光部３０６は、装置本体部３０１に取り付けられた光軸Ｃの方向（矢印Ｙ１方向）に沿った上面３６１と、上面３６１の矢印Ｙ１方向端部から光軸Ｃと垂直な方向（矢印Ｚ２方向）に沿って延びる遮光面３６２とを含む。
【００７１】
遮光面３６２は、第２実施形態による遮光面２６２と異なり、切り欠き部２６５が設けられていない。一方、遮光面３６２の矢印Ｚ２方向側端部は、送光口３１１よりも矢印Ｚ２方向側で、かつ、光ファイバ３２１（光ファイバ３２１の接続部材３２３への接続位置）よりも矢印Ｚ１方向側に配置されている。これにより、遮光部３０６は、接続部材３２３が送光口３１１から取り外された状態で、送光口３１１から光軸Ｃの方向に光が照射された場合でも、光を遮ることが可能に構成されている。
【００７２】
また、第３実施形態による光計測装置３００のその他の構成は、第１実施形態（第２実施形態）における光計測装置１００（光計測装置２００）と同様である。
【００７３】
第３実施形態では、以下のような効果を得ることができる。
【００７４】
第３実施形態では、上記のように、４本の光ファイバ３２１を、接続部材３２３の矢印Ｙ１方向側の面のうち矢印Ｚ２方向側の位置に、それぞれ所定の間隔を隔ててＸ方向に沿って、個別に接続可能に構成する。そして、接続部材３２３を、接続部材３２３が送光口３１１に取り付けられた状態で、矢印Ｙ１方向側から見て、光ファイバ３２１が接続されている位置が、送光口３１１が配置されている位置よりも矢印Ｚ２方向側に配置されるように構成する。これにより、第２実施形態による遮光部２０６のように切り欠き部２６５を設けることなく、遮光部３０６により、接続部材３２３が送光口３１１から取り外された状態で、送光口３１１から光軸Ｃの方向に照射された光を遮ることができる。
【００７５】
また、第３実施形態による光計測装置３００のその他の効果は、第１実施形態における光計測装置１００と同様である。
【００７６】
（第４実施形態）
次に、図８を参照して、第４実施形態による光計測装置４００の構成について説明する。第４実施形態の光計測装置４００は、内部に光ファイバの一端部が配置された接続部材により、光ファイバが送光口に対して着脱可能に構成されていた第１実施形態による光計測装置と異なり、接続部材が設けられずに、光ファイバが送光口に対して着脱可能に構成されている。なお、第４実施形態において、上記第１〜第３実施形態と同様の構成については同一の符号を付し、説明を省略する。
【００７７】
図８に示すように、第４実施形態による光計測装置４００の送光プローブ部４０２は、複数（４本）の光ファイバ４２１により構成されている。
【００７８】
ここで、第４実施形態では、４本の光ファイバ４２１は、送光口１１に対してそれぞれ着脱可能に構成されている。また、遮光部４０６は、上面４６１と、遮光面４６２とを含み、光ファイバ４２１が送光口１１から取り外された状態で、送光口１１から光軸Ｄの方向に光が照射された場合でも、光を遮ることが可能に構成されている。
【００７９】
また、第４実施形態による光計測装置４００のその他の構成は、第１実施形態における光計測装置１００と同様である。
【００８０】
第４実施形態では、以下のような効果を得ることができる。
【００８１】
第４実施形態では、上記のように、４本の光ファイバ４２１を、送光口１１に対してそれぞれ着脱可能に構成する。また、遮光部４０６は、上面４６１と、遮光面４６２とを含み、光ファイバ４２１が送光口１１から取り外された状態で、送光口１１から光軸Ｄの方向に照射された光を遮るように構成する。これにより、接続部材を設ける必要がないので、接続部材を設ける必要がない分、送光プローブ部４０２の構成が複雑化するのを抑制することができる。
【００８２】
また、第４実施形態による光計測装置４００のその他の効果は、第１実施形態における光計測装置１００と同様である。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８４】
たとえば、上記第１〜第４実施形態では、本発明の光計測装置を、携帯して持ち運び可能に構成する例を示したが、本発明はこれに限られない。本発明では、光計測装置を据え置き型や、車輪により移動可能な台車状の可搬型などに構成してもよい。
【００８５】
また、上記第１〜第４実施形態では、本発明の遮光部を、送光口を装置本体部の外部から覆うように設けることにより、送光口から外部に向かって照射される光を遮るように構成する例を示したが、本発明はこれに限られない。本発明では、遮光部を、送光口を装置本体部の外部から覆うように設けること以外の構成により、送光口から外部に向かって照射される光を遮るように構成してもよい。たとえば、図９に示す変形例のように、遮光部５０６を、装置本体部５０１の内部に設けて、送光口５１１（光源部５１２）から外部に向かって照射される光を遮るように構成してもよい。
【００８６】
ここで、変形例による光計測装置５００には、図９に示すように、装置本体部５０１と、送光プローブ部５０２と、遮光部５０６とが設けられている。装置本体部５０１は、送光口５１１と光源部５１２とを含み、装置本体部５０１の内部に、遮光部５０６が配置されている。遮光部５０６は、シャッタ部５６１と、付勢部材５６２とを含む。シャッタ部５６１は、送光口５１１に送光プローブ部５０２（光ファイバ５２１の一端部５２１ａ）が取り付けられていない状態（図９実線部分参照）では、シャッタ部５６１が付勢部材５６２に付勢されることにより、光源部５１２から外部（矢印Ｙ１方向側）に向かって照射される光を遮る位置（図９実線部分参照）に配置されるように構成されている。また、シャッタ部５６１は、送光口５１１に送光プローブ部５０２（光ファイバ５２１の一端部５２１ａ）が取り付けられた状態（図９点線部分参照）では、光ファイバ５２１の一端部５２１ａが矢印Ｅ方向に進み、シャッタ部５６１が矢印Ｆ方向に押し上げられる（図９点線部分参照）ことにより、シャッタ部５６１は、光を遮らない位置に移動され、光ファイバ５２１の一端部５２１ａと光源部５１２とが接続可能に構成されている。
【００８７】
変形例では、上記のように、遮光部５０６を、送光口５１１から外部に照射される光を遮る位置（図９実線部分参照）と送光口５１１から外部に照射される光を遮らない位置（図９のシャッタ部５６１が矢印Ｆ方向に押し上げられた状態であり点線部分）とを移動するシャッタ部５６１を含むように構成する。これにより、シャッタ部５６１を含む遮光部５０６を、装置本体部５０１の内部に設けることができるので、遮光部５０６を装置本体部５０１の外部に設ける場合に比べて、光計測装置５００の構成が大型化するのを抑制することができる。
【００８８】
また、上記第１〜第４実施形態では、本発明の送光口を、装置本体部に４つ設けるように構成する例を示したが、本発明は、これに限られない。本発明では、送光口を装置本体部に４つ以外の数設けるように構成してもよい。たとえば、送光口を装置本体部に３つ未満設けるように構成してもよいし、５つ以上設けるように構成してもよい。
【００８９】
また、上記第１〜第４実施形態では、本発明の光ファイバを、送光プローブ部には４本、受光プローブ部には、８本設けるように構成する例を示したが、本発明は、これに限られない。本発明では、光ファイバを、送光プローブ部には４本以外の数、受光プローブ部には、８本以外の数設けるように構成してもよい。たとえば、光ファイバを、送光プローブ部に、８本（４本の光ファイバを先端部で分岐することにより８本にして）設けてもよいし、受光プローブ部に、８本よりも大きい数または８本未満の数設けるように構成してもよい。
【００９０】
また、上記第１〜第４実施形態では、本発明の遮光部を、装置本体部に取り付けられた光軸の方向に沿った平板形状の上面と、上面から光軸と垂直な方向に沿って延びる平板形状の遮光面とを含ように構成して、遮光部を、送光口から外部に照射される光を遮るように構成する例を示したが、本発明はこれに限られない。本発明では、遮光部の上面と遮光面とを平板形状以外の形状に構成して、遮光部を、送光口から外部に照射される光を遮るように構成してもよい。たとえば、遮光面が装置本体部から曲面を有するように設けることにより、送光口から外部に照射される光を遮るように構成してもよい。
【符号の説明】
【００９１】
１、３０１、５０１  装置本体部
２、２０２、３０２、４０２、５０２  送光プローブ部（光伝送部）
６、２０６、３０６、４０６、５０６  遮光部
１１、３１１、５１１  送光口
１２、５１２  光源部（光源）
２１、３２１、４２１、５２１  光ファイバ
２１ａ、５２１ａ  一端部（光ファイバの一端部）
２１ｂ  他端部（送光点）
２３、２２３、３２３  接続部材
６１、２６１、３６１、４６１  上面（第１面）
６２  下面（第１面）
６３  側面（第１面）
６４、２６２、３６２、４６２  遮光面（第２面、案内部）
６５  上部ガイド（案内部）
６６  下部ガイド（案内部）
１００、２００、３００、４００、５００  光計測装置
５６１  シャッタ部
【図１】
2016035361.tif 000003
【図２】
2016035361.tif 000004
【図３】
2016035361.tif 000005
【図４】
2016035361.tif 000006
【図５】
2016035361.tif 000007
【図６】
2016035361.tif 000008
【図７】
2016035361.tif 000009
【図８】
2016035361.tif 000010
【図９】
2016035361.tif 000011
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
光源と、被検体に照射するための光を出射するための送光口とを含む、装置本体部と、
光ファイバを含み、前記送光口に対して着脱されるように構成され、前記被検体に配置される送光点に光を伝送する光伝送部と、
前記装置本体部に設けられ、前記光伝送部が前記送光口から取り外された状態で、前記送光口から外部に照射される光を遮るように構成された遮光部とを備え、
前記遮光部は、前記送光口を前記装置本体部の外部から覆うように設けられている、光計測装置。
【請求項２】
前記光伝送部は、前記遮光部が前記装置本体部に設置された状態で、前記送光口に対して着脱されるように構成されており、
前記遮光部は、少なくとも前記光伝送部が前記送光口から取り外された状態では、前記送光口からの光の光軸上の位置に配置されている、請求項１に記載の光計測装置。
【請求項３】
前記遮光部は、前記送光口から間隔を隔てた位置で前記送光口を前記装置本体部の外部から覆うように設けられており、
前記光伝送部は、前記遮光部と前記装置本体部との間で、前記送光口に対して着脱されるように構成されている、請求項２に記載の光計測装置。
【請求項４】
前記送光口は、複数設けられており、
前記光ファイバは、複数設けられており、
前記光伝送部は、前記複数の光ファイバの一端部を収容し、前記送光口からの光の光軸の方向と垂直な方向に沿って前記装置本体部に着脱されることにより、前記複数の光ファイバの各々を、前記複数の送光口に対して一括して着脱させる接続部材を含む、請求項１に記載の光計測装置。
【請求項５】
前記接続部材は、前記光軸の方向と垂直な方向に沿って、前記遮光部と前記装置本体部との間にスライド移動されることにより、前記送光口に対して前記光ファイバを着脱させるように構成されている、請求項４に記載の光計測装置。
【請求項６】
前記遮光部は、前記接続部材が前記遮光部と前記装置本体部との間にスライド移動される方向に平行な方向に沿って延びる案内部を含む、請求項５に記載の光計測装置。
【請求項７】
前記遮光部は、前記接続部材の外形形状に沿って覆う形状を有する、請求項４に記載の光計測装置。
【請求項８】
前記遮光部は、前記装置本体部に取り付けられ、前記送光口からの光の光軸の方向に沿った第１面と、前記第１面から前記光軸と垂直な方向に沿って延びる第２面とを含み、
前記光伝送部は、前記第１面と前記第２面とにより形成される空間内で、前記送光口に対して着脱されるように構成されている、請求項１に記載の光計測装置。
【請求項９】
前記遮光部は、複数の前記第１面と前記第２面とにより、前記送光口を取り囲んで覆う箱形状に形成されている、請求項８に記載の光計測装置。
【請求項１０】
前記遮光部は、前記送光口から外部に照射される光を遮る位置と前記送光口から外部に照射される光を遮らない位置とを移動するシャッタ部を含む、請求項２に記載の光計測装置。
【手続補正２】
【補正対象書類名】明細書
【補正対象項目名】０００７
【補正方法】変更
【補正の内容】
【０００７】
上記目的を達成するために、この発明の一の局面における光計測装置は、光源と、被検体に照射するための光を出射するための送光口とを含む、装置本体部と、光ファイバを含み、送光口に対して着脱されるように構成され、被検体に配置される送光点に光を伝送する光伝送部と、装置本体部に設けられ、光伝送部が送光口から取り外された状態で、送光口から外部に照射される光を遮るように構成された遮光部とを備え、遮光部は、送光口を装置本体部の外部から覆うように設けられている。
【手続補正３】
【補正対象書類名】明細書
【補正対象項目名】００１１
【補正方法】変更
【補正の内容】
【００１１】
上記一の局面による光計測装置において、好ましくは、送光口は、複数設けられており、光ファイバは、複数設けられており、光伝送部は、複数の光ファイバの一端部を収容し、送光口からの光の光軸の方向と垂直な方向に沿って装置本体部に着脱されることにより、複数の光ファイバの各々を、複数の送光口に対して一括して着脱させる接続部材を含む。ここで、遮光部は、送光口からの光を遮るために、光軸と交わる位置に配置される。このため、接続部材を、光軸の方向に沿って装置本体部に着脱されるように構成する場合には、遮光部を可動させるように構成するか、装置本体部から比較的遠方に離間して配置するように構成する必要がある。この場合、光計測装置の構成が複雑化または光計測装置が大型化すると考えられる。そこで、本発明のように、接続部材を、光軸の方向と垂直な方向に沿って装置本体部に装着されるように構成すれば、遮光部を、可動させるように構成する必要がなく、遮光部を、装置本体部から比較的近傍に配置することができるので、光計測装置の構成が複雑化または大型化するのを抑制することができる。また、接続部材は、複数の光ファイバを複数の送光口に対して一括して着脱させるので、複数の光ファイバの各々を個別に複数の送光口に対して着脱する場合に比べて、光ファイバの着脱作業時間を短縮することができる。これにより、光ファイバの着脱作業中に送光口から外部に光が漏れる時間も短縮することができるので、これによっても、光が装置本体部から被検体以外に誤って照射されるのを抑制することができる。また、接続部材は、複数の光ファイバを複数の送光口に対して一括して着脱させるので、光ファイバを着脱するための作業が複雑化するのを抑制することができる。その結果、装置本体部の移動に関する（持ち運ぶ際の準備に関する）利便性を、より向上させることができる。
【手続補正４】
【補正対象書類名】明細書
【補正対象項目名】００１５
【補正方法】変更
【補正の内容】
【００１５】
上記一の局面による光計測装置において、好ましくは、遮光部は、装置本体部に取り付けられ、送光口からの光の光軸の方向に沿った第１面と、第１面から光軸と垂直な方向に沿って延びる第２面とを含み、光伝送部は、第１面と第２面とにより形成される空間内で、送光口に対して着脱されるように構成されている。このように構成すれば、第２面は、光伝送部が送光口に対して着脱する際に、装置本体部に設置された状態で送光口から外部に照射される光を遮ることができるので、容易に、光が装置本体部から被検体以外（たとえば、人の目など）に誤って照射されるのを抑制することができる。
【国際調査報告】
2016035361.tif 000012
2016035361.tif 000013